(57)【特許請求の範囲】
【請求項１】
メイン制御装置と、カードユニットと、前記メイン制御装置及び前記カードユニットにそれぞれ通信接続された払出制御装置とを備え、賞品球の排出を行う賞品球排出装置と、前記賞品球排出装置とは別に、貸球の排出を行う貸球排出装置とを設け、
前記払出制御装置は、メイン制御装置からの賞品球の払出数の指令に応じた前記賞品球排出装置の作動による賞品球の排出動作と、カードユニットからの貸球要求信号に応じた前記貸球排出装置の作動による貸球の排出動作とを並列的に行わせるように構成し、
前記払出制御装置に、前記貸球の排出動作の速度において通常排出モードと前記通常排出モードよりも遅い速度の低速排出モードとが設定され、
前記払出制御装置は、
前記貸球排出装置の作動による貸球の排出動作を開始する場合、及び、前記貸球排出装置の作動による貸球の排出動作中に、前記賞品球排出装置の作動による賞品球の排出動作の実行状態を判別する賞品球払出判別手段と、
前記賞品球払出判別手段によって前記賞品球排出装置の作動による賞品球の排出動作がないと判別された場合に、前記通常排出モードを設定して通常の排出速度で貸球の排出動作を行う一方、
前記賞品球排出装置の作動による賞品球の排出動作があると判別された場合に、前記低速排出モードを設定して前記通常の排出速度よりも遅い速度で貸球の排出動作を行う貸玉排出速度設定手段と、を備えた、
ことを特徴とするパチンコ遊技機における球払出制御装置。
【発明の詳細な説明】
【０００１】
【発明の属する技術分野】
本発明は、賞品球の払出しと貸球の払出しとを行うパチンコ遊技機における球払出制御装置に関するものである。
【０００２】
【従来の技術】
従来より、カード式のパチンコ遊技機は広く知られている。カード式のパチンコ遊技機は、実質的にパチンコ球の排出を行う球排出装置、球排出装置の動作制御を行う払出制御装置、払出制御装置に対して貸球要求信号を与えるカードユニット、パチンコ遊技の総括的な制御を行うメイン制御装置を備えており、入賞発生に対応した賞品球の払出数をメイン制御装置が払出制御装置に指令すると、応じて払出制御装置が、球排出装置を作動制御して指令された払出数のパチンコ球（賞品球）を排出する一方、カードユニットが、挿入されたプリペイドカードに記憶された金額から球貸操作に応じた金額を差し引くと共に、球貸操作に応じた貸球要求信号を払出制御装置に出力すると、応じて払出制御装置が、球排出装置を作動制御して貸球要求に対応する数（通常は２５個）のパチンコ球（貸球）を排出するよう構成されている。
【０００３】
ところで、カード式のパチンコ遊技機では、メイン制御装置からの賞品球の払出数の指令と、カードユニットからの貸球要求信号とが略同時に発生する場合があり、このような場合、従来は、実質的にパチンコ球の排出を行う球排出装置が単一であったので、メイン制御装置からの賞品球の払出数の指令に対するパチンコ球の排出をカードユニットからの貸球要求よりも優先して行うものや、これとは逆に、カードユニットからの貸球要求信号に対するパチンコ球の排出を賞品球の排出よりも優先して行うものがある。
【０００４】
このように、従来は、賞品球の払出指令と貸球要求とが略同時に発生する場合、賞品球の排出動作と貸球の排出動作の何れか一方が優先して行われ、優先して行われた一方の排出動作の終了後に、残る他方の排出動作を開始するよう構成されていた。
【０００５】
【発明が解決しようとする課題】
本発明の目的は、メイン制御装置からの賞品球の払出数の指令と、カードユニットからの貸球要求信号とが略同時に発生した場合、賞品球の払出しと貸球の払出しとを並列的に行うことのできるパチンコ遊技機における球払出制御装置を提供することにある。
【０００６】
【課題を解決するための手段】
請求項１に係るパチンコ遊技機における球払出制御装置は、メイン制御装置と、カードユニットと、前記メイン制御装置及び前記カードユニットにそれぞれ通信接続された払出制御装置とを備え、賞品球の排出を行う賞品球排出装置と、前記賞品球排出装置とは別に、貸球の排出を行う貸球排出装置とを設け、
前記払出制御装置は、メイン制御装置からの賞品球の払出数の指令に応じた前記賞品球排出装置の作動による賞品球の排出動作と、カードユニットからの貸球要求信号に応じた前記貸球排出装置の作動による貸球の排出動作とを並列的に行わせるように構成し、
前記払出制御装置に、前記貸球の排出動作の速度において通常排出モードと前記通常排出モードよりも遅い速度の低速排出モードとが設定され、
前記払出制御装置は、
前記貸球排出装置の作動による貸球の排出動作を開始する場合、及び、前記貸球排出装置の作動による貸球の排出動作中に、前記賞品球排出装置の作動による賞品球の排出動作の実行状態を判別する賞品球払出判別手段と、
前記賞品球払出判別手段によって前記賞品球排出装置の作動による賞品球の排出動作がないと判別された場合に、前記通常排出モードを設定して通常の排出速度で貸球の排出動作を行う一方、前記賞品球排出装置の作動による賞品球の排出動作があると判別された場合に、前記低速排出モードを設定して前記通常の排出速度よりも遅い速度で貸球の排出動作を行う、貸玉排出速度設定手段と、を備えた、
ことを特徴とする。
【０００９】
【発明の実施の形態】
以下、本発明の実施の形態を図面を参照して説明する。図１は実施形態のパチンコ遊技機に配設された賞品球の排出機構及び貸球の排出機構を示す模式図である。なお、実施形態のパチンコ遊技機は、カード式のパチンコ遊技機としてある。
【００１０】
球タンク１は、例えば、図示しないパチンコ機の基枠裏面の上部に配設され、該球タンク１内には、賞品球あるいは貸球として排出するためのパチンコ球が貯留される。球タンク１の下部には、賞品球用としての２条の補充球誘導レール２ａ，２ｂと貸球用としての２条の補充球誘導レール３ａ，３ｂとが設けられ、２条の補充球誘導レール２ａ，２ｂの下端が賞品球排出装置４の２つの供給口（図示せず）にそれぞれ連結される一方、２条の補充球誘導レール３ａ，３ｂの下端が貸球排出装置５の２つの供給口（図示せず）にそれぞれ連結されている。
【００１１】
賞品球排出装置４は、２つの排出口（図示せず）を有し、これらの排出口に２条の球排出路６ａ，６ｂが連結され、２条の球排出路６ａ，６ｂの中途には、球排出路に排出されたパチンコ球を直接検出する排出球センサ７，８がそれぞれ配設されている。また、球排出路６ａ，６ｂはその終端において合流して排出球誘導路９となる。
【００１２】
貸球排出装置５は、２つの排出口（図示せず）を有し、これらの排出口に２条の球排出路１０ａ，１０ｂが連結され、２条の球排出路１０ａ，１０ｂの中途には、球排出路１０ａ，１０ｂに排出されたパチンコ球を直接検出する排出球センサ１１，１２がそれぞれ配設されている。また、球排出路１０ａ，１０ｂはその終端において合流して排出球誘導路１３となる。さらに、前記排出球誘導路９の末端と排出球誘導路１３の末端とが合流し、排出誘導路１４とされて図示しない球受皿に連絡されている。
【００１３】
なお、賞品球排出装置４及び貸球排出装置５は、例えば、球受部が複数周設されたスプロケットにより構成された回転球受体と、回転球受体を回転するためのステッピングモータ等の球排出モータとを備え、球排出モータにより回転球受体を回転し、回転球受体の球受部に受け入れたパチンコ球を回転球受体の回転により球送りして１球ずつ排出する公知のものである。
【００１４】
図２は、本実施形態のパチンコ遊技機に配備された球払出しに関わる制御系統の要部ブロック図である。払出制御装置１５は、制御処理実行手段としてのサブＣＰＵと、サブＣＰＵが行う各制御プログラムを格納したＲＯＭと、随時データの読み出し並びに書き込みが可能なＲＡＭと、メイン制御装置１４と通信を行うための通信インタフェースとにより構成されている。なお、払出制御装置１０１の内部構成については図示を省略する。
【００１５】
払出制御装置１５は、図２に示すようにメイン制御装置１４に対して通信接続されている他、賞品球の払出しを行う賞品球排出装置４、貸球２５個の排出を行う貸球排出装置５、球貸し操作に応じて貸球要求信号を払出制御装置１５に送るカードユニット１６及びパチンコ球を遊技盤面１に向けて弾発するための発射モータ１７にそれぞれ接続されている。
【００１６】
また、払出制御装置１６に接続されたカードユニット１７は、プリペイドカードを挿入し、該プリペイドカードに記憶された金額から球貸操作に応じた金額を差し引くと共に、球貸操作に応じた金額に相当する貸球要求信号を払出制御装置１５に出力するもので、１回の球貸操作につき、該プリペイドカードに記憶された金額から１００円を差し引くと共に、貸球２５個を１単位として貸球要求信号を払出制御装置１５に出力する。また、払出制御装置１５は、メイン制御装置１４からの制御コマンド若しくは賞品球の排出異常の検知と異常解除検知、貸球の排出異常の検知と異常解除検知等に応じて発射モータ１７の作動／作動停止の制御を行う。
【００１７】
実施形態のパチンコ遊技機では、図示しない遊技盤面に複数設けられた各入賞口に対して予め定めた払出数の別により、例えば、大入賞口への入賞に対して賞球数を１５個とし、図柄作動口への入賞に対して賞球数を７個とする場合等があり、図２においては、メイン制御装置１４に、遊技盤面に設けられた複数種類の入賞口毎に異なる賞品数（例えば、７個払い出し口と１５個払い出し口の２種類）を設定する構成としてある。即ち、第１の賞球数に設定されている入賞口に対して配備された第１入賞検出手段１８と、第１の賞球数とは異なる第２の賞球数に設定されている入賞口に対して配備された第２入賞検出手段１９とをスイッチ入力回路２０を介してメイン制御装置１４に接続してある。
【００１８】
払出制御装置１５は、メイン制御装置１４から送信される払出指令数を含む賞球コマンドに応じ、指令された払出指令数に対応して賞品球排出装置４の賞品球排出モータＭ１を回転駆動し、指令された払出指令数のパチンコ球の球排出制御を行う。なお、前記賞球コマンドの内容は、払出指令数が１、２、３、…１４、１５のように１球単位ずつ指定が可能となっている。
【００１９】
また、払出制御装置１５は、カードユニット１７から送られた貸球要求信号を受けると、貸球個数２５個に対応して貸球排出装置５の貸球排出モータＭ２を回転駆動し、貸球２５個を排出するパチンコ球の球排出制御を行う。
【００２０】
また、実施形態のパチンコ遊技機においては、賞品球と貸球とを区別して検出する。すなわち、賞品球排出装置４に設けた排出球センサ７，８により実際に排出球を検出し（図１参照）、排出球検出センサ７，８の検出信号を払出制御装置１５に入力し、排出球センサ７，８の検出信号の有無を監視し、排出球センサ７，８の検出信号があれば計数し、指令した払出指令数に対して実質的に排出されたパチンコ球の排出数を監視し、払出指令数に排出されたパチンコ球数が達したこともって賞品球の排出を終了と判別し、賞品球排出モータＭ１を停止する。
【００２１】
また、貸球の排出時には、貸球排出装置５に設けた排出球センサ１１，１２の検出信号を払出制御装置１５に入力し（図１参照）、排出球センサ１１，１２の検出信号の有無を監視し、排出球センサ１１，１２の検出信号があれば計数し、指令した貸球数に対して実質的に排出されたパチンコ球の排出数を監視し、排出されたパチンコ球数が貸球数に達したことをもって貸球の排出を終了と判別し、貸球排出モータＭ２を停止する。
【００２２】
また、払出制御装置（サブＣＰＵ）１５には、メイン制御装置１４からの賞品球の払出の指令に応じた賞品球排出装置４の作動による賞品球の排出動作と、カードユニット１６からの貸球要求信号に応じた貸球排出装置５の作動による貸球の排出動作とを並列的に行わせる賞品球排出／貸球排出並列処理手段を前記ＲＯＭに設けてある。
【００２３】
また、前記賞品球排出／貸球排出並列処理手段には、貸球の排出動作の速度において通常排出モードと通常排出モードよりも遅い速度の低速排出モードとが設定されている。
【００２４】
さらに、前記賞品球排出／貸球排出並列処理手段は、賞品球排出装置４の作動による賞品球の排出動作中に、貸球要求信号に応じた貸球排出装置５の作動による貸球の排出動作を開始する場合、低速排出モードで貸球の排出動作を行う。
【００２５】
また、貸球排出装置５の作動による貸球の排出動作中に、メイン制御装置１４からの払出指令に応じて賞品球排出装置４の作動による賞品球の排出動作を開始する場合、貸球の排出動作を通常排出モードから低速排出モードに切り換えて行う。
【００２６】
以下、払出制御装置１５のサブＣＰＵが行う賞品球の排出及び貸球の排出並列処理について説明する。図３乃至図７は払出制御装置１５のサブＣＰＵが行う賞品球排出／貸球排出並列処理のフローチャートである。
【００２７】
電源投入直後、サブＣＰＵは、まず、初期化処理を行い、以下の処理に必要な各種フラグや、各種カウンタ及び記憶領域を初期化する（ステップＳ０１）。例えば、賞品球排出装置４から排出された賞品球をカウントする排出球カウンタＣ１、貸球排出装置５から排出された貸球をカウントする排出球カウンタＣ２、メイン制御装置１４から送信された賞球コマンドを受信する毎に１つアップする（賞球コマンドの受信記憶）賞球コマンド受信カウンタ、カードユニット１６から送られた貸球要求信号を受信する毎に１つアップする（貸球要求信号の受信記憶）貸球要求信号受信カウンタ、賞品球の排出動作中であるか否かを識別するための賞品球払出中フラグ、貸球の排出動作中であるか否かを識別するための貸球払出中フラグ、受信した賞球コマンドを格納する記憶エリアを初期化する。
【００２８】
初期化処理を終えたサブＣＰＵは、ステップＳ０２に移行し、賞球コマンドを受信したか否かを判別する（ステップＳ０２）。サブＣＰＵは、賞球コマンドを受信した場合には、今回受信した賞球コマンドを記憶エリアの空きエリアに格納し（ステップＳ０３）、賞球コマンド受信カウンタの値を１つアップし（ステップＳ０４）、ステップＳ０５に移行する一方、賞球コマンドを受信しなかった場合には、直接ステップＳ０５に移行する。
【００２９】
図８は、記憶エリアにおける賞球コマンドの記憶状態を示す図である。後述する賞品球排出装置４が賞品球の払出中の場合にも、メイン制御装置１４から賞球コマンドが送られて受信する場合がある。しかし、賞品球の払出中の場合には新規に賞球コマンドに対応する賞品球の排出動作を開始することはできないため、受信した賞球コマンドを記憶保持しておき、現在行っている排出動作が終了した時点で、記憶保持しておいた賞球コマンドに対応する賞品球の排出動作を開始するように構成してある。図８に示すように、賞品球の払出中の場合、受信した賞球コマンドは、排出動作を開始していない賞球コマンドの後段の空きエリアに順次記憶される。なお、このように、賞球コマンドの受信記憶がある場合、記憶エリアに受信した賞球コマンドが格納されると共に、賞球コマンド受信カウンタの値が１つカウントアップされる。
【００３０】
ステップＳ０５に移行したサブＣＰＵは、貸球要求信号を受信したか否かを判別する（ステップＳ０５）。サブＣＰＵは、貸球要求信号を受信した場合には、今回受信した貸球要求信号に対応して貸球要求信号受信カウンタの値を１つアップし（ステップＳ０６）、ステップＳ０７以下の賞品球排出開始条件チェックに移行する一方、貸球要求信号を受信しなかった場合には、直接ステップＳ０７以下の賞品球排出開始条件チェックに移行する。このように、貸球要求信号の受信記憶がある場合、貸球要求信号受信カウンタの値が１つカウントアップされる。
【００３１】
サブＣＰＵは、ステップＳ０７乃至ステップＳ１２の処理により、賞品球排出動作を新規に開始するか否かを判別することとなる。まず、サブＣＰＵは、賞球払出中フラグの値がセットされているか否かを判別する（ステップＳ０７）。賞球払出中フラグの値がセットされている場合には賞品球の払出中であって賞品球の新規な排出動作の開始が不可能であり、賞球払出中フラグの値がクリアされている場合には賞品球の新規な排出動作の開始が可能である。
【００３２】
サブＣＰＵは、賞球払出中フラグの値がクリアされている場合にはステップＳ０８に移行し、賞球コマンドの受信記憶があるか否かを判別する（ステップＳ０８）。前述のように賞球コマンド受信カウンタの値が０以外（１以上の値）であれば賞球コマンドの受信記憶があることとなる。サブＣＰＵは、賞球コマンドの受信記憶がある場合には、ステップＳ０９に移行し、賞品球の新規な排出動作の開始のための条件設定を行う。
【００３３】
ステップＳ０９に移行する場合、サブＣＰＵは、賞球払出中フラグをセットして賞品球の排出動作中に切り換え（ステップＳ０９）、図８の記憶エリアの先頭部分に格納されている賞球コマンドを読み出し、当該賞球コマンドの内容に対応した払出指令数をセットする（ステップＳ１０）。次いで、サブＣＰＵは、記憶エリアに格納されている先頭部分よりも後段の各賞球コマンドを、先頭部分からの記憶エリアに１データ分シフトする（ステップＳ１１）。さらに、サブＣＰＵは、賞球コマンド受信カウンタを１つ減じ（ステップＳ１２）、ステップＳ１３以降の賞品球排出動作に移行する。
【００３４】
ステップＳ０７の判別処理において、賞球払出中フラグがセットされている場合には（賞品球の払出中である場合には）、サブＣＰＵは、直接ステップＳ１３以降の賞品球排出動作に移行する。
【００３５】
また、ステップＳ０８の判別処理において、賞球コマンドの受信記憶がない場合には（賞球コマンド受信カウンタの値が０である場合には）、賞品球排出動作を行わずに直接ステップＳ１８以降の貸球排出開始条件チェックに移行する。
【００３６】
ステップＳ１３に移行したサブＣＰＵは、賞品球排出モータＭ１を作動し（ステップＳ１３）、賞品球の排出動作を行う。次いで、サブＣＰＵは、排出球センサ７，８により排出される賞品球の監視を行い、排出球センサ７，８の検出信号の入力毎に排出球カウンタＣ１を１つアップし（ステップＳ１４）、排出された賞品球の数をカウントする。
【００３７】
ステップＳ１４の処理後、サブＣＰＵは、賞品球の排出動作が終了したか否かを判別する（ステップＳ１５）。即ち、サブＣＰＵは、排出球カウンタＣ１のカウント値がステップＳ１０にてセットした払出指令数に達しているか否かを判別し、排出球カウンタＣ１のカウント値が払出指令数に達している場合に賞品球の排出動作が終了したと判別する。
【００３８】
サブＣＰＵは、賞品球の排出動作が終了したと判別した場合、賞球払出中フラグをクリアし（ステップＳ１６）、排出球カウンタＣ１を０クリアし（ステップＳ１７）、ステップＳ１８以降の貸球払出中開始条件チェックに移行する。
【００３９】
サブＣＰＵは、賞品球の排出動作が終了していないと判別した場合（排出球カウンタＣ１のカウント値が払出指令数に達していない場合）、ステップＳ１８以降の貸球払出中開始条件チェックに移行する。
【００４０】
サブＣＰＵは、ステップＳ１８乃至ステップＳ２２の処理により、貸球排出動作を新規に開始するか否かを判別することとなる。まず、サブＣＰＵは、貸球払出中フラグの値がセットされているか否かを判別する（ステップＳ１８）。貸球払出中フラグの値がセットされている場合には貸球の払出中であって貸球の新規な排出動作の開始が不可能であり、貸球払出中フラグの値がクリアされている場合には貸球の新規な排出動作の開始が可能である。
【００４１】
サブＣＰＵは、貸球払出中フラグの値がクリアされている場合にはステップＳ１９に移行し、貸球要求信号の受信記憶があるか否かを判別する（ステップＳ１９）。前述のように貸球要求信号受信カウンタの値が０以外（１以上の値）であれば貸球要求信号の受信記憶があることとなる。サブＣＰＵは、貸球要求信号の受信記憶がある場合には、ステップＳ２０に移行し、貸球の新規な排出動作の開始のための条件設定を行う。
【００４２】
ステップＳ２０に移行する場合、サブＣＰＵは、貸球払出中フラグをセットして貸球の排出動作中に切り換え（ステップＳ２０）、予め定められた貸球数（通常は２５個に定められている）をセットする（ステップＳ２１）。次いで、サブＣＰＵは、貸球要求信号受信カウンタを１つ減じ（ステップＳ２２）、ステップＳ２３以降の貸球排出動作に移行する。
【００４３】
ステップＳ１８の判別処理において、貸球払出中フラグがセットされていいる場合には（現在貸球の払出中である場合には）、サブＣＰＵは、直接ステップＳ２３以降の貸球排出動作に移行する。
【００４４】
また、ステップＳ１９の判別処理において、貸球要求信号の受信記憶がない場合には（貸球要求信号受信カウンタの値が０である場合には）、貸球排出動作を行わずに直接ステップＳ２３以降の貸球排出動作に移行する。
【００４５】
ステップＳ２３に移行したサブＣＰＵは、賞品球払出中フラグがセットされているか否かを判別する（ステップＳ２３）。すなわち、現在賞品球の払出中であるか否かを判別する。例えば、大当り遊技中では、賞品球の払出要求が集中して発生するものと考えられる。このような場合に、貸球要求が重なると、球タンク１に貯留されているパチンコ球が急速に減っていき、球不足状態になることが考えられる。通常のパチンコ遊技機では、球タンク１の球不足状態が検知された場合は、遊技機本体から集中管理装置に球不足信号が出力され、応じて集中管理装置が球追加指令を出力し、これによって島からパチンコ遊技機にパチンコ球が供給され、球タンク１の球不足が解消される。しかしながら、大当り遊技中のように賞品球の排出が連続発生している場合にさらに貸球の排出を急速に行うと、島からのパチンコ球の追加供給前に、賞品球払出側のパチンコ球がなくなってしまう虞がある。賞品球排出装置４内にパチンコ球がなくなってしまった場合には、球不足エラーとして検知される。球不足エラーが発生した場合には、パチンコ球の弾発を停止するため発射モータ１７の作動を停止し、結局パチンコ遊技が中断されてしまう。
【００４６】
本願の実施形態のパチンコ遊技機は、このような不測にパチンコ球が欠乏するような状況に備えるために、賞品球の払出中に貸球要求が重なった場合、若しくはその逆の状況として、貸球の払出中に賞品球の払出要求が重なった場合、貸球の排出を中止することなく、貸球を通常の排出速度よりもゆっくりと排出することで、球不足エラーの発生を回避しようとすることを目的の１つとしている。
【００４７】
さて、サブＣＰＵが賞品球払出中フラグがセットされていると判別した場合には、サブＣＰＵは低速排出モードを選択して貸球排出モータＭ２を作動し、貸球を通常の排出速度よりもゆっくりと排出する（ステップＳ２４）。一方、サブＣＰＵが賞品球払出中フラグがセットされていないと判別した場合には、サブＣＰＵは通常排出モードを選択して貸球排出モータＭ２を作動し、貸球を通常の排出速度で排出する（ステップＳ２５）。
【００４８】
サブＣＰＵは、ステップＳ２４若しくはステップＳ２５を実行した後にステップＳ２６に移行し、排出球センサ１１，１２により実際に排出された貸球の監視を行い、排出球センサ１１，１２の検出信号の入力毎に排出球カウンタＣ２を１つアップし（ステップＳ２６）、排出された貸球の数をカウントする。
【００４９】
ステップＳ２６の処理後、サブＣＰＵは、貸球の排出動作が終了したか否かを判別する（ステップＳ２７）。即ち、サブＣＰＵは、排出球カウンタＣ２のカウント値がセットした貸球数に達しているか否かを判別し、排出球カウンタＣ２のカウント値が貸球数に達している場合に貸球の排出動作が終了したと判別する。
【００５０】
サブＣＰＵは、貸球の排出動作が終了したと判別した場合、貸球払出中フラグをクリアし（ステップＳ２８）、排出球カウンタＣ２を０クリアし（ステップＳ２９）、ステップＳ０２に戻り、賞球コマンド並びに貸球要求信号の受信に対応する処理に戻る。
【００５１】
一方、サブＣＰＵは、賞品球の排出動作が終了していないと判別した場合（排出球カウンタＣ２のカウント値が貸球数に達していない場合）、直接ステップＳ０２に戻り、賞球コマンド並びに貸球要求信号の受信に対応する処理に戻る。
【００５２】
図３乃至図７に示したフローチャートを遊技状況に沿って説明すると、以下のようである。電源投入後、貸球要求信号及び賞球コマンドが全く発生していない状況では、ステップＳ０２が偽、ステップＳ０５が偽、ステップＳ０７が偽、ステップＳ０８が偽、ステップＳ１８が偽、ステップＳ１９が偽となり、賞品球の排出動作及び貸球の排出動作が行われない。
【００５３】
パチンコ球の入賞によって賞球コマンドが発生した状況では、ステップＳ０２が真、ステップＳ０３、ステップＳ０４を経て、ステップＳ０５が偽、ステップＳ０７が偽、ステップＳ０８が真、ステップＳ０９乃至ステップＳ１４を経て、ステップＳ１５に移行し、賞品球排出が終了していなければ直接ステップＳ１８に移行し、ステップＳ１８が偽、ステップＳ１９が偽となり、賞品球の排出動作だけが行われる。
【００５４】
賞品球の排出動作中に貸球要求が発生した状況では、ステップＳ０５が真、ステップＳ０６を経て、ステップＳ０７が真、ステップＳ１３乃至ステップＳ１４を経てステップＳ１５に移行し、賞品球排出が終了していなければ直接ステップＳ１８に移行し、ステップＳ１８が偽、ステップＳ１９が真、ステップＳ２０乃至ステップＳ２２を経てステップＳ２３に移行し、ステップＳ２３を真と判別し、ステップＳ２４、ステップＳ２６を経てステップＳ２７に移行し、貸球の排出動作が終了していなければ、ステップＳ２７が偽となり、賞品球の排出動作と貸球の排出動作が一緒に行われ、しかも貸球が通常の速さよりもゆっくりと排出される。
【００５５】
また、賞球コマンドの発生がなく、貸球要求信号のみ発生した状況では、ステップＳ０２が偽、ステップＳ０５が真、ステップＳ０６を経てステップＳ０７に移行し、ステップＳ０７が偽、ステップＳ０８が偽、ステップＳ１８が偽、ステップＳ１９が真、ステップＳ２０乃至ステップＳ２２を経てステップＳ２３に移行し、ステップＳ２３を偽と判別し、ステップＳ２５及びステップＳ２６を経てステップＳ２７に移行し、貸球の排出動作が終了していなければ、ステップＳ２７が偽となり、貸球の排出動作のみが行われ、しかも貸球が通常の速さで排出される。
【００５６】
貸球の排出動作中に賞球コマンドが発生した状況では、ステップＳ０２が真、ステップＳ０３及びステップＳ０４を経てステップＳ０５が偽、ステップＳ０７が偽、ステップＳ０８が真、ステップＳ０９乃至ステップＳ１２を経て、更にステップＳ１３乃至ステップＳ１４を経てステップＳ１５に移行し、賞品球排出が終了していなければ直接ステップＳ１８に移行し、ステップＳ１８が真、ステップＳ２３に移行し、ステップＳ２３を真と判別し、ステップＳ２４、ステップＳ２６を経てステップＳ２７に移行し、貸球の排出動作が終了していなければ、ステップＳ２７が偽となり、貸球の排出動作と共に賞品球の排出動作が一緒に行われ、しかも貸球の排出速度が通常の速さから低速に切り換わって排出される。
【００５７】
なお、以上の実施形態のほか、賞品球の排出動作の速度において通常排出モードと通常排出モードよりも遅い速度の低速排出モードとを設定し、払出制御装置は、貸球排出装置の作動による貸球の排出動作中に、賞品球排出装置の作動による賞品球の排出動作を開始する場合、低速排出モードで賞品球の排出動作を行うことを特徴とするパチンコ遊技機における球排出制御装置とした構成とすることとしてもよく、さらには、貸球の排出動作の速度を、低速排出モードと、通常排出モードと、高速排出モードとの３段階切換として、貸球排出動作速度３段階切換手段、及び／または賞品球排出動作速度３段階切換手段を設ける構成としてもよい。
【００５８】
これにより、貸球と賞品球の円滑な払出制御が行えることとなり、球不足エラーや球詰まり障害を防ぐことを可能とする。また、排出動作中の賞品球の排出モードを通常排出モードより高速排出モードに切り換えたり、排出動作中の貸球の排出モードを通常排出モードより高速排出モードに切り換えることにより、上記の効果に加え、排出処理の高速化が図れることともなる。
【００５９】
【発明の効果】
請求項１に係るパチンコ遊技機における球払出制御装置によれば、賞品球の排出を行う賞品球排出装置と、賞品球排出装置とは別に貸球の排出を行う貸球排出装置とを設けたので、メイン制御装置からの賞品球の払出数の指令に応じた賞品球排出装置の作動による賞品球の排出動作と、カードユニットからの貸球要求信号に応じた貸球排出装置の作動による貸球の排出動作とが並列的に行われるので、賞品球の排出動作と貸球の排出動作を一緒に行うことができる。
【００６０】
賞品球の排出動作中に貸球要求が発生した状況では、賞品球の排出動作と貸球の排出動作が一緒に行われ、しかも貸球が通常の速さよりもゆっくりと排出されるので、賞品球の排出が連続発生している場合に不測にパチンコ球が欠乏するような状況に備えて球不足エラーの発生を回避することができる。
【００６１】
貸球の排出動作中に賞球コマンドが発生した状況では、貸球の排出動作と共に賞品球の排出動作が一緒に行われ、しかも貸球の排出速度が通常の速さから低速に切り換わって排出されるので、不測にパチンコ球が欠乏するような状況に備えて球不足エラーの発生を回避することができる。
【図面の簡単な説明】
【図１】実施形態のパチンコ遊技機に配設された賞品球の排出機構及び貸球の排出機構を示す模式図
【図２】本実施形態のパチンコ遊技機に配備された球払出しに関わる制御系統の要部ブロック図
【図３】実施形態における払出制御装置のサブＣＰＵが行う賞品球排出／貸球排出並列処理の一部を示すフローチャート
【図４】図３のフローチャートのつづき
【図５】図４のフローチャートのつづき
【図６】図５のフローチャートのつづき
【図７】図６のフローチャートのつづき
【図８】記憶エリアにおける賞球コマンドの記憶状態を示す図
【符号の説明】
１  球タンク
２  補充球誘導レール
３  補充球誘導レール
４  賞品球排出装置
５  貸球排出装置
６  球排出路
７  排出球センサ
８  排出球センサ
９  排出球誘導路
１０  球排出路
１１  排出球センサ
１２  排出球センサ
１３  排出球誘導路
１４  メイン制御装置
１５  払出制御装置
１６  カードユニット
１７  発射モータ
１８  第１入賞検出手段
１９  第２入賞検出手段
２０  スイッチ入力回路
Ｍ１  賞品球排出モータ
Ｍ２  貸球排出モータ
【図１】
0004454064.tif 000002
【図２】
0004454064.tif 000003
【図３】
0004454064.tif 000004
【図４】
0004454064.tif 000005
【図５】
0004454064.tif 000006
【図６】
0004454064.tif 000007
【図７】
0004454064.tif 000008
【図８】
0004454064.tif 000009